(57)【特許請求の範囲】
【請求項１】
外壁パネルの裏面側に設けられたフレーム材に一端部が取り付けられた取付金具の他端部が、前記外壁パネルの隣の外壁パネルの裏面側に設けられたフレーム材と前記隣の外壁パネルの裏面側でそこに設けられた前記フレーム材に対向する間柱との間にまで延設され、該間柱と前記隣の外壁パネルの裏面側の前記フレーム材との間に重ね合わせて取り付けられていることを特徴とする外壁パネルの取付構造。
【発明の詳細な説明】
【０００１】
【発明の属する技術分野】
本発明は、柱の屋外側面を覆う外壁パネルの取り付け構造に関する。
【０００２】
【従来の技術】
住宅等の建物は、柱、梁からなる骨組構成体に工業生産された外壁パネルを取り付けて構築されている。例えば、複数個の建物ユニットから構成されるユニット建物においては、特公平２−８８５２号公報に記載あるように、柱、梁から箱形の骨組構成体を組み立て、この骨組構成体に外壁パネル等の種々の構成体が組み付けられる。
上記骨組構成体には複数の間柱が取り付けられ、図１７に示すように、間柱と間柱との間を覆う複数の外壁パネル６、６、・・と、出隅部等の標準柱２Ｓの屋外側面を覆う外壁パネル１とを、間柱３に取り付けることによって、建物の外壁面を形成している。
【０００３】
図１８は、上記図１７のＡ部を拡大して示す外壁パネル１の取付構造を示す断面図である。出隅部等において、標準柱２Ｓの屋外側面を覆う外壁パネル１は、裏面側に設けられたフレーム材１１を柱脇の間柱３にリベット等で固定することによって取り付けられている。また、この外壁パネル１と隣接する間柱３、３間の外壁パネル６も、裏面側に設けられたフレーム材６１を間柱３にリベット等で固定することによって取り付けられている。また間柱３の内側にはスペーサー８が設けられ、スペーサー８に木桟７１を介し、または直接内壁パネルを釘打ちすることで固定されている。
【０００４】
一方、敷地面積に制約のある市街地等においては、近年３階建て等の建物の要望が高まっている。このような３階建て建物においては、構造耐力向上のため、２階建て以下の建物に使用する標準柱２Ｓより断面寸法が大の柱２を構造設計上必要とする場合がある。
【０００５】
【発明が解決しようとする課題】
しかしながら、上記図１７に示したような従来の外壁パネル１および内壁パネル７の取付構造において、３階建てなどの構造耐力向上のため、標準柱２Ｓより断面寸法が大の柱を骨組構成体に使用した場合、柱脇の間柱３の位置が内側にずれてしまうため、標準柱２Ｓ用に設計された外壁パネル１では、取り付けができないという問題が生じる。このため、標準柱２Ｓより断面寸法が大の柱用に外壁パネルを設計変更すればよいが、外壁パネルの品種が増大するという問題が生じる。また内壁パネル７では、スペーサー８の巾が減小するため、釘で固定する時、スペーサー８の割れの問題が生じる。
【０００６】
本発明は上記欠点を解消し、標準柱用の外壁パネルを、標準柱より大断面寸法の柱に取り付けることができる外壁パネルの取付構造を提供することにある。
【０００７】
【課題を解決するための手段】
請求項１記載の発明は、外壁パネルの裏面側に設けられたフレーム材に一端部が取り付けられた取付金具の他端部が、前記外壁パネルの隣の外壁パネルの裏面側に設けられたフレーム材と前記隣の外壁パネルの裏面側でそこに設けられた前記フレーム材に対向する間柱との間にまで延設され、該間柱と前記隣の外壁パネルの裏面側の前記フレーム材との間に重ね合わせて取り付けられていることを特徴とする外壁パネルの取付構造である。
【００１２】
（作用）
請求項１記載の本発明の外壁パネルの取付構造によると、外壁パネルの裏面側に取り付けられた取付金具が、前記外壁パネルの隣の外壁パネル裏面領域にまで延設され、間柱に重ね合わさせて取り付けられているので、外壁パネルが標準柱用に設計されていても、標準柱より断面寸法が大の柱に取り付けることができ、外壁パネルの品種を増やさなくてもよい。
また、外壁パネルと隣の外壁パネルを間柱に取り付けるリベット等を共用することで、リベット等を節約できる。
【００１３】
外壁パネルと柱の間に介在させる取付金具が、直交する２つの取付片を有し、一方の取付片が柱に取り付けられ、他方の取付片が外壁パネルの裏面側に取り付けられていると、外壁パネルと柱の間に介在させる取付金具が、直交する２つの取付片を有し、一方の取付片が柱に取り付けられ、他方の取付片が外壁パネルの裏面側に取り付けられているので、外壁パネルが標準柱用に設計されていても、標準柱より断面寸法が大の柱に取り付けることができ、外壁パネルの品種を増やさなくてもよい。
【００１４】
外壁パネルが、外壁面材と、外壁面材の裏面側端縁部に取り付けられるフレーム材とからなり、フレーム材の一側から延設された延設片が、前記外壁パネルの隣の外壁パネル裏面領域にまで延設され、間柱に重ね合わさせて取り付けられていると、外壁パネルが、外壁面材と、外壁面材の裏面側端縁部に取り付けられるフレーム材とからなり、フレーム材の一側から延設された延設片が、前記外壁パネルの隣の外壁パネル裏面領域にまで延設され、間柱に重ね合わせて取り付けられているので、外壁パネルが標準柱用に設計されていても、標準柱より断面寸法が大の柱に取り付けることができ、外壁パネルの品種を増やさなくてもよい。
また、外壁パネルと隣の外壁パネルを間柱に取り付けるリベット等を共用することで、リベット等を節約できる。
【００１５】
内壁パネルがスペーサーを介して間柱の室内側に取り付けられる内壁パネルの取り付け構造であって、前記スペーサーの内壁側の巾が間柱側の巾より大きいと、前記スペーサーの内壁パネルを取りつけるための巾を大きくすることができ、内壁パネルを釘等で固定する場合、スペーサーが割れにくく、内壁パネルを確実に固定することができる。
【００１６】
内壁パネルがスペーサーを介して間柱の室内側に取り付けられる内壁パネルの取り付け構造であって、前記スペーサーの内壁側の巾が間柱側の巾より大きいことに加えて、内壁パネルがスペーサーを介して間柱の室内側に取り付けられる内壁パネルの取り付け構造であって、前記スペーサーは間柱に取り付けられる側の第１の直方体部分と内壁側のより巾の広い第２の直方体部分よりなり、間柱の内壁側切片の端部が上記第２の直方体の間柱側の平面の一部に接すると、スペーサーの取りつけ位置を容易に設定できる。
【００１７】
【発明の実施の形態】
図１〜図６は、請求項１に係る本発明の一実施例であって、図１は図４のＡ部を拡大した外壁パネルの取付構造を示す断面図であり、図２は図１のＡ１部をさらに拡大して示す断面図であり、図３は取付金具の断面図であり、図４は外壁パネルが取り付けられた建物ユニットの平面図であり、図５は建物ユニットの躯体の正面図であり、図６は建物ユニットの躯体の斜視図である。
【００１８】
本実施例は、図４〜図６に示す建物ユニット２０の柱２の屋外側面を覆って取り付けられる外壁パネル１の取付構造を示す。
建物ユニット２０は、その複数個を隣接配置して３階建て等のユニット建物を構築するために使用されるものであって、図６に示すように、４本の柱２と、柱２の下端部間に架け渡された床梁２１と、柱２の上端部間に架け渡された天井梁２２とから略箱形に組まれた躯体を構成している。
【００１９】
上記建物ユニット２０の柱２は、構造耐力向上のため、２階建て以下の建物に使用する標準柱２Ｓより断面寸法が大になされている。具体的には、標準柱２Ｓが断面１００×１００ｍｍの角鋼管で形成されているのに対して、柱２は１２０×１２０ｍｍの角鋼管で形成されている。
なお、建物ユニット２０の外形幅寸法は、長辺側と短辺側のいずれも、標準柱２Ｓを使用したものと同じ寸法になされている。
【００２０】
上記建物ユニット２０の柱２間には、図５に示すように、間柱３、３、・・が立設され、屋外に面する長辺側と短辺側の２側面に外壁パネル１、６が取り付けられている。
外壁パネル１は、図４に示すように、柱２の屋外側２面を覆う出隅コーナー用であって、断面略Ｌ形になされている。この外壁パネル１の隣の外壁パネル６は、間柱３、３間に取り付けられ、平板形状になされている。これら外壁パネル１、６は、いずれも、標準柱２Ｓ用のものと同じ形状寸法である。
【００２１】
上記標準柱２Ｓ用の外壁パネル１の取付構造においては、図１、図２に示すように、外壁パネル１の裏面側に断面略Ｃ形のフレーム材１１が設けられ、このフレーム材１１と柱２の間に取付金具１２を介在させている。
上記外壁パネル１の裏面側に取り付けられる取付金具１２は、図３に示すように、断面略Ｌ字形であって、その一端部が、外壁パネル１の裏面側に設けられたフレーム材１１にビス１３によって取り付けられる。
そして、前記一端部と直交する取付金具１２の他端部は、外壁パネル１の隣の外壁パネル６裏面領域にまで延設され、前記柱２の脇に設けられた間柱３に重ね合わさせられ、隣の外壁パネル６のフレーム材６１とともに拡開式リベット１４にて取り付けられている。
【００２２】
なお、図１において、上記出隅コーナー用外壁パネル１と、その隣の外壁パネル６との間には、目地部が形成され、この目地部にはガスケット４が配設され、柱２と間柱３の屋外側面には、連続する防水シート材５が貼付され、外壁パネル１、６間の防水構造が形成されている。
また、外壁パネル１の屋内側には内壁パネル７が設けられており、この内壁パネル７は、間柱３に設けたスペーサー８を介して取り付けられている。
【００２３】
（実施例の作用）
本実施例に示した外壁パネル１の取付構造によると、外壁パネル１と柱２の間に介在させた取付金具１２の一端部を、外壁パネル１裏面側のフレーム材１１に取り付け、一端部と直行する取付金具１２の他端部を、外壁パネル１の隣の外壁パネル６裏面領域にまで延設し、前記柱２の脇に設けられた間柱３に重ね合わせて取り付けた。これによって、標準柱２Ｓ用に設計された外壁パネル１を、標準柱２Ｓより断面寸法が大の柱２に取り付けることができるようにしたので、外壁パネル１の品種を増やさなくてもよい。
また、外壁パネル１と隣の外壁パネル６を間柱３に取り付けるリベット１４を共用することで、リベット１４を節約できるようにした。
【００２４】
図７〜図９は、本発明の参考例であって、図７は図４のＡ部を拡大した外壁パネルの別の取付構造を示す断面図であり、図８は図７のＡ１部をさらに拡大して示す断面図であり、図９は取付金具の断面図である。
以下の実施例において、前記実施例と同じものには同符号を付け、異なるものだけ別符号を付けて説明する。
【００２５】
本実施例は、前記実施例と同様、標準柱２Ｓより大断面寸法になされた建物ユニット２０の柱２の屋外側２面を覆って取り付けられるコーナー用外壁パネル１の取付構造であって、この外壁パネル１は標準柱２Ｓ用に設計されたものである。
上記外壁パネル１と柱２との間には、図９に示す取付金具１２Ａを介在させている。
取付金具１２Ａは、断面略Ｌ字形の直交する２つの取付片を有し、図８に示すように、一方の取付片が柱２の屋外側面に取り付けられ、他方の取付片が外壁パネル１の裏面側に設けられたフレーム材１１に取り付けられている。
取付金具１１のいずれの取付片も、柱２またはフレーム材１１にビス１３を使用して取り付けられている。
【００２６】
（実施例の作用）
本実施例の外壁パネル１の取付構造によると、外壁パネル１と柱２の間に直交する２つの取付片を有する取付金具１２Ａを介在させ、一方の取付片を柱２に取り付け、他方の取付片を外壁パネル１裏面側のフレーム材１１に取り付ける。これによって、標準柱用に設計された外壁パネル１を、標準柱２Ｓより断面寸法が大の柱２に取り付けることができるようにしたので、外壁パネル１の品種を増やさなくてもよい。
【００２７】
図１０〜図１２は、本発明の参考例であって、図１０は図４のＡ部を拡大した外壁パネルの他の取付構造を示す断面図であり、図１１は図１０のＡ１部をさらに拡大して示す断面図であり、図１２は取付金具の断面図である。
【００２８】
本実施例は、前記実施例と同様、標準柱２Ｓより大断面寸法になされた建物ユニット２０の柱２の屋外側２面を覆って取り付けられるコーナー用外壁パネル１の取付構造であって、この外壁パネル１は標準柱２Ｓ用に設計されたものである。
外壁パネル１には、前記実施例と同様、柱２の長手方向に沿った裏面側端縁部に、略Ｃ字形のフレーム材１１が取り付けられている。このフレーム材１１には、その一側から延設された延設片１２Ｂが一体に取り付けられている（図１２参照）。
上記延設片１２Ｂは、図１１に示すように、外壁パネル１の隣の外壁パネル６裏面領域にまで延設され、柱２の脇に設けられた間柱３に重ね合わせられ、隣の外壁パネル６のフレーム材６１とともに拡開式リベット１４にて取り付けられている。
【００２９】
（実施例の作用）
本実施例の外壁パネル１の取付構造によると、外壁パネル１のフレーム材１１の一側から延設させた延設片１２Ｂを、外壁パネル１の隣の外壁パネル裏面領域にまで延設し、柱２の脇に設けられた間柱３に重ね合わさせて取り付けるようにした。これによって、標準柱２Ｓ用に設計された外壁パネル１を、標準柱２Ｓより断面寸法が大の柱２に取り付けることができるようにしたので、外壁パネル１の品種を増やさなくてもよい。
また、外壁パネル１と隣の外壁パネル６を間柱３に取り付けるリベット１４を共用することで、リベット１４を節約できるようにした。
【００３０】
図１４〜図１６は、本発明の参考例であって、図１４は図１の内壁パネルの取りつけ構造を示す部分の一部変形例で、内壁取り付け構造を示す断面図である。なお、図１と同一乃至均等な部分については同一符号を付して説明する。また、図１５と図１６は内壁パネル取り付け用スペーサーの斜視図である。
【００３１】
図１４において、外壁パネル６の屋内側には内壁パネル７が設けられており、この内壁パネル７は、間柱３に設けた図１５に示すスペーサー８を介して取り付けられている。間柱３は、断面略Ｌ形状のフレーム材で、外壁パネルが取りつけられる第1の切片面３１と、内側にスペーサー８がとりつけられる第２の切片面３２が構成されている。
前記スペーサー８は間柱３に取り付けられる、第1の直方体部分８１と、内壁７がとりつけられる第２の直方体部分８２よりなり、第1の直方体部分８１の巾より、第２の直方体部分８２の巾が大きく構成されている。第1の直方体部分８１が間柱３の第２の切片面３２に空けられた穴（不図示）を貫通するビスで固定されており、スペーサー８の第２の直方体部分８２には内壁７が釘（不図示）で固定されている。
【００３２】
また、間柱３の第２切片面３２の端部が、前記スペーサー８の第2の直方体８２の平面の一部に接して配置され、固定される。
【００３３】
図16にはスペーサー８の変形例を示す。図１５においてスペーサー８の第2の直方体８２の内壁７が取り付けられる面に、合板８５を貼りつけ、内壁パネルを釘で固定する時、スペーサー８がさらに割れにくくされた例である。
なお、スペーサーは普通は木製であるが、プラスチック製であっても良い。
【００３４】
（実施例の作用）
本実施例に示した内壁パネル７の取付構造によると、スペーサー８の第1の直方体８１の巾より、第２の直方体８２の巾が大きく構成されているので、内壁パネル７を固定するための巾を広く取ることができ、釘で内壁パネル７を固定しても、スペーサー８が割れることはなく、強固に取り付けられる。
【００３５】
また、間柱３の第２切片面３２の端部が、前記スペーサー８の第2の直方体８２の平面の一部に接して配置され、固定されるので、位置合わせの作業性も良く、内壁パネル７の位置精度を良くすることができる。
【００３６】
以上、本発明の外壁パネル１の取付構造を実施例に基づいて説明したが、本発明は上記した実施例に限定されるものではない。
図１３は、建物ユニット２０を複数個隣接配置したユニット建物の平面図であって、上記実施例は、いずれも、図１３のＡ部（出隅部）におけるコーナー用外壁パネル１の取付構造であったが、本発明の外壁パネルの取付構造は、図１３のＢ部（入隅部）におけるものであってもよいし、あるいは、図１３のＣ部（隣接する建物ユニット２０、２０の柱２、２間）であってもよい。
【００３７】
【発明の効果】
請求項１記載の本発明の外壁パネルの取付構造によると、標準柱用に設計された外壁パネルを、標準柱より断面寸法が大の柱に取り付けることができるようにしたので、外壁パネルの品種を増やさなくてもよい。このため、隣接する外壁パネルとの割り付けを変更する必要がなく、フレーム材等の部品やその納まりの変更を最小限とすることができる。
また、外壁パネルと柱の間に介在させる取付金具が、直交する２つの取付片を有し、一方の取付片が柱に取り付けられ、他方の取付片が外壁パネルの裏面側に取り付けられていと、または、外壁パネルが、外壁面材と、外壁面材の裏面側端縁部に取り付けられるフレーム材とからなり、フレーム材の一側から延設された延設片が、前記外壁パネルの隣の外壁パネル裏面領域にまで延設され、間柱に重ね合わさせて取り付けられていると、標準柱用に設計された外壁パネルを、標準柱より断面寸法が大の柱に取り付けることができるようにしたので、外壁パネルの品種を増やさなくてもよい。このため、隣接する外壁パネルとの割り付けを変更する必要がなく、フレーム材等の部品やその納まりの変更を最小限とすることができる。
さらに、内壁パネルがスペーサーを介して間柱の室内側に取り付けられる内壁パネルの取り付け構造であって、前記スペーサーの内壁側の巾が間柱側の巾より大きいと、スペーサーの内壁側の巾が間柱側の巾より大きいので、内壁パネルを釘等で固定してもスペーサーが割れにくい。
ついで、内壁パネルがスペーサーを介して間柱の室内側に取り付けられる内壁パネルの取り付け構造であって、前記スペーサーの内壁側の巾が間柱側の巾より大きいことに加えて、内壁パネルがスペーサーを介して間柱の室内側に取り付けられる内壁パネルの取り付け構造であって、前記スペーサーは間柱に取り付けられる側の第１の直方体部分と内壁側のより巾の広い第２の直方体部分よりなり、間柱の内壁側切片の端部が上記第２の直方体の間柱側の平面の一部に接すると、間柱の内壁側切片の端部が内壁側の巾の広い直方体部分の平面の一部に接するので、スペーサーの取りつけ位置を容易に設定できる。
【図面の簡単な説明】
【図１】  請求項１に係る本発明の一実施例であって、図４のＡ部を拡大した外壁パネルの取付構造を示す断面図である。
【図２】  図１のＡ１部をさらに拡大して示す断面図である。
【図３】  取付金具の断面図である。
【図４】  外壁パネルが取り付けられた建物ユニットの平面図である。
【図５】  建物ユニットの躯体の正面図である。
【図６】  建物ユニットの躯体の斜視図である。
【図７】  本発明の参考例であって、図４のＡ部を拡大した外壁パネルの別の取付構造を示す断面図である。
【図８】  図７のＡ１部をさらに拡大して示す断面図である。
【図９】  取付金具の断面図である。
【図１０】  本発明の参考例であって、図４のＡ部を拡大した外壁パネルの他の取付構造を示す断面図である。
【図１１】  図１０のＡ１部をさらに拡大して示す断面図である。
【図１２】  取付金具の断面図である。
【図１３】  建物ユニットを複数個隣接配置したユニット建物の平面図である。
【図１４】  本発明の参考例であって、図１の一部変形例で、内壁取り付け構造を示す断面図である。
【図１５】  内壁パネル取り付け用スペーサーの斜視図である。
【図１６】  内壁パネル取り付け用スペーサーの変形例を示す斜視図である。
【図１７】  従来の建物ユニットの平面図である。
【図１８】  図１７のＡ部を拡大した従来の外壁パネルの取付構造を示す断面図である。
【図１】
0003987740.tif 000002
【図２】
0003987740.tif 000003
【図３】
0003987740.tif 000004
【図４】
0003987740.tif 000005
【図５】
0003987740.tif 000006
【図６】
0003987740.tif 000007
【図７】
0003987740.tif 000008
【図８】
0003987740.tif 000009
【図９】
0003987740.tif 000010
【図１０】
0003987740.tif 000011
【図１１】
0003987740.tif 000012
【図１２】
0003987740.tif 000013
【図１３】
0003987740.tif 000014
【図１４】
0003987740.tif 000015
【図１５】
0003987740.tif 000016
【図１６】
0003987740.tif 000017
【図１７】
0003987740.tif 000018
【図１８】
0003987740.tif 000019